(57)【要約】　　　（修正有）【課題】ＲＣ造、Ｓ造、建物の内部間仕切り壁に於いて、下地スタッドを使用せず、仕上げ壁厚を小さくし、釘及びビス止めの出来る下地の有る間仕切り壁で、耐火、防火、遮音性能に加え結露、防湿に優れた間仕切り壁を提供する。【解決の手段】専用取付け金物と石膏ボードと遮音シートによる真壁ボードにより、スタッドの無い壁下地を作り、壁厚を小さくした。調合パーライトを成型したボードにより釘及びビス止めが簡単に堅固に出来る様になり、水分に強い、軽量な結露、防湿に有効な壁を造る事ができる。補強リブ板の空間を、配線スペースに利用できる等、多くの特徴を持った間仕切り壁とした。補強リブ板を取付け下地として、有効利用する事で上貼り材に、異質で多用な材料を取付け使用する事が出来る。【選択図】　　　　図１
2004084447.tif 000002
【特許請求の範囲】
【請求項１】
真壁式下地ボード。
【請求項２】
防湿ボード。
【請求項３】
補強リブ板。
【請求項４】
取付け金物。
【請求項５】
壁配線ダクト。
【発明の詳細な説明】
【０００１】
【発明の属する技術分野】
本発明は、ＲＣ造、Ｓ造、建物の内部間仕切りで、従来より使用しているボード貼り下地スタッドを無くし、壁厚さを小さくして、釘及びビス止めの出来る下地を有し、水分による影響の少ない、防湿ボードを用いた間仕切り壁の開発に関する。
【０００２】
【従来の技術】
従来より用いられている工法は、壁下地スタッドの両面より、石膏ボードを貼り合わせて構成された中空の構造で、スタッドが壁の仕上がり厚さに加わって、厚くなる、又壁面に釘及びビス止めで、簡単で堅固に物を取付ける事が出来ない、石膏は吸湿するが水濡れ状態には欠陥が生まれる。
【０００３】
【発明が解決しようとする課題】
壁厚を小さくし、釘及びビス止めの出来る下地構成を持ち、在来性能に増して防湿効果のある、骨組下地のない間仕切り壁を作る。
【０００４】
【課題を解決するための手段】
支柱間に取付けて、耐力的に可能な真壁式ボード及び専用取付け金物の開発をする、考案した補強リブ板で構成し、下地骨組のない壁下地を作る、完成した壁下地の両面に、下貼りに石膏ボードを使用、上貼りに調合パーライトで作った、防湿ボードを貼って完成する。
【０００５】
【発明の実施の形態】
発明の実施の形態を説明する。
図９に示す、真壁下地ボードを作成する、真壁下地ボードは、石膏ボード厚、９、５ｍｍ・１２、５ｍｍ・１５ｍｍを使い遮音シートを挾んで、厚さ２０ｍｍ・２６ｍｍ・３１ｍｍの３種類を作る、高さ６５０ｍｍ、巾は支柱間隔９００ｍｍ、１２００ｍｍに対応出来るようにする。
【０００６】
防湿ボードは、石膏の代わりに調合パーライトを使って成型したボードで、裏面に防湿加工を施す、調合パーライトは、硬化完成すると吸湿性が大きく、呼吸する素材となり、水中にあっても変形せず、乾くと元の状態になる為に、壁面結露防止及び防湿効果を発揮する、釘打ちの出来る耐火材で比重０、７程度と軽量である、大きさは９１０ｍｍ×１８２０ｍｍと１０００ｍｍ×２０００ｍｍとし、厚さは１５ｍｍと２０ｍｍを製品として作る、間仕切り表面材に貼って使用し、石膏ボードの水分に対する弱点を防ぐ事が出来る、隔壁用として、遮音シートの代わりに、亜鉛メッキ鋼板を使用した、真壁下地ボードを作る。
【０００７】
図１０に示す、補強リブ板は防燃処理をした合板で、釘、ビス止めの下地ともなる、真壁下地ボードの両面に、接着剤と併せてビスで、両面より下地ボードを挾んで取付ける、縦方向に、継手位置を３０ｃｍ以上のズレを持って、取付ける、釘及びビス止め下地となり、真壁下地ボードと一体となって、壁のたわみ補強となる、補強リブ板は、厚１５ｍｍ、巾６０ｍｍ〜１００ｍｍで作り、横ジョイント金物部欠込みを設け、３００ｍｍピッチに取付ける、隔壁用として、図１１に示す、耐火対応として、スチール製の補強リブを作る、製品はＨ＝２０ｍｍ、Ｗ＝６０ｍｍで横ジョイント金物部欠込みを設け、Ｌ＝２７００ｍｍ・３０００ｍｍ・３３００ｍｍを規格とする。
【０００８】
図２は、支柱の断面で、溶接にて組合せ製作する、取付けは上、下ランナーの溝にはめ込み固定する、柱の大きさは、真壁下地ボードの厚みに応じてＷ＝４３ｍｍ、Ｈ＝４０ｍｍ・４６ｍｍ・５１ｍｍの３規格を作り、壁高さ及び性能仕様に対応する、柱の長さは、Ｌ２７００ｍｍ・３０００ｍｍ・３３００ｍｍを規格として作る。
【００１０】
図３は、柱頭部、及び柱脚部の柱取付けの為のランナーで、折曲加工し製作する、製品のＨは２５ｍｍとし、Ｗは支柱Ｈ寸法に対応して、４０ｍｍ・４６ｍｍ・５１ｍｍを作る。
【００１１】
図４は、真壁下地ボードの取付け、積上げ時に使用する、横方向の中間部のジョイント金物で、使用ボード厚に応じて、Ｈ＝４０ｍｍ、差込巾２０ｍｍ・２６ｍｍ・３１ｍｍを規格として製作する、ジョイント金物と支柱の取付けは、図１、図４に示す様に、厚１ｍｍの固定プレートを作り、ボードで挟み込んで、連結固定する、長さは規格柱間寸法に合わせて、Ｌ＝８６０ｍｍ・Ｌ＝１１６０ｍｍを規格として作る。
【００１２】
図５は、真壁ボード積上構成に於いて、最終部の縦取合固定に使うエンドアングルである、大きさは、２０ｍｍ×２０ｍｍで長さは、２０００ｍｍで製作する。
【００１３】
図６は、開口部補強部材の断面で、使用間仕切り支柱に、溝形に折曲た亜鉛メッキ鋼板を溶接固定して、開口部材の取付け下地とする。
【００１４】
図８に示す金物で、壁隅コーナー納めに対応する断面の支柱を製作する。
【００１５】
図８に示す、壁配線用ダクトを開発し、点検の出来る配線スペースとして活用する、壁内電気系統の配線スペースとして、補強リブ板間の空間、巾約２００ｍｍ〜２４０ｍｍ、隙間高さ、１５ｍｍのスペースを天井点検口の利用により、小径の配線スペースとして利用出来る、又大径の配線の時は、リブ板間のスペースの隙間高さを、必要ヶ処のみ大きくする事で、配線スペースの確保が出来る。
〜２４０ｍｍ、隙間高さ、１５ｍｍのスペースを天井点検口の利用により、小径の配線スペースとして利用出来る、又大径の配線の時は、リブ板間のスペースの隙間高さを、必要ヶ処のみ大きくする事で、配線スペースの確保が出来る。
【００１６】
現場取付け作業は、壁位置及び開口部の位置を、床面及び柱頭取合部に正確に示し、床面に続いて、柱頭取合部にランナーを正確に堅固に取付ける、次に開口部の支柱取付けを開口補強と合わせて完了する、真壁ボードの組立を壁の一方向より、支柱１スパンごとに下部より積み上げて、補強リブ板を継手位置が揃わない様に、３００ｍｍピッチに、真壁下地ボードの両面より接着剤とビスで縫い合わせて固定しながら、支柱金物で固めて、反対方向に向って繰り返し進め、最終スパン部は、真壁ボードを切断し、残り巾に合わせて、エンドアングルで固定して、真壁下地を完成する、開口部建具枠の取付け完了後、補強リブ板の上より、壁性能仕様に基づいて、石膏ボードを下貼りし、上貼りに防湿ボードを貼り、釘止め、ビス止め下地のある耐火、防火、防湿、遮音効果に優れた、間仕切り壁を、最終の仕上げを残して完成する。
【００１７】
【発明の効果】
発明は、以上説明したように構成されているので、以下に記載されるような効果を奏する。
【００１８】
従来スタッドを使用した壁に比べ壁仕上げ厚さの小さい壁を造る事が出来る。
【００１９】
釘、ビス止めの出来る下地のある壁が出来、壁面に簡単に堅固に取付け固定が出来る様になる。
【００２０】
調合パーライトで製作した防湿ボードで、結露、防湿の効果が向上した上に、内貼り石膏ボードの水分による悪影響を防ぐ事が出来る。
【００２１】
従来、間仕切りに於ける中空部のグラスウール及びロックウールの充填作業を性能低下する事なく、省略出来る。
【図面の簡単な説明】
【図１】真壁式間仕切りの構成、水平断面図である。
【図２】取合金物支柱の断面図である。
【図３】取合金物上、下ランナーの断面図である。
【図４】取付け金物真壁ボードの横ジョイント金物の断面図である。
【図５】取付け金物エンドアングルの断面図である。
【図６】開口補強金物の断面図である。
【図７】取付け金物壁隅支柱の断面図である。
【図８】壁配線スペースの断面納め図である。
【図９】真壁式下地ボードの姿図と断面図である。
【図１０】補強リブ板の姿図と横断面図である。
【図１１】スチール製補強リブの縦方向側面図と断面図である。
【符号の説明】
１　Ｗ、製品の巾
２　Ｈ、製品の高さ
３　ｔ、製品の厚さ
４　Ｌ、製品の長さ
【図１】
2004084447.tif 000003
【図２】
2004084447.tif 000004
【図３】
2004084447.tif 000005
【図４】
2004084447.tif 000006
【図５】
2004084447.tif 000007
【図６】
2004084447.tif 000008
【図７】
2004084447.tif 000009
【図８】
2004084447.tif 000010
【図９】
2004084447.tif 000011
【図１０】
2004084447.tif 000012
【図１１】
2004084447.tif 000013